(57)【特許請求の範囲】
【請求項１】
ディスク状の感光性記録媒体と、前記感光性記録媒体を回転自在に収容すると共に前記前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、前記感光性記録媒体に関するディスク情報を記録できるＲＦＩＤ（Radio Frequency Identification）と、を備えた感光性記録媒体用カートリッジを内部に収納して前記感光性記録媒体の記録再生を行う記録再生装置において、
前記ＲＦＩＤに前記感光性記録媒体に関するディスク情報の記録と前記ディスク情報の読み出しを行うＲＦＩＤ記録再生装置を備え、
前記ＲＦＩＤ記録再生装置は、前記感光性記録媒体に記録した後、光を記録部分に当てて定着させる回数を前記ＲＦＩＤに記録し、
該回数がある程度を越すと前記感光性記録媒体に記録しないようにする感光性記録媒体用記録再生装置。
【請求項２】
請求項１に記載の感光性記録媒体用記録再生装置であって、
前記ＲＦＩＤ記録再生装置は、前記感光性記録媒体における次回記録される場所を示すアドレスを前記ＲＦＩＤに書き込み、前記ＲＦＩＤに設けられた、記録開始するアドレスを書き込む開始アドレス格納場所と、記録完了したアドレスを書き込む完了アドレス格納場所とに書き込まれた両方のアドレスが一致しているか判断することを特徴とする感光性記録媒体用記録再生装置。
【発明の詳細な説明】
【技術分野】
【０００１】
本発明は、データをホログラムによって記録するホログラム記録媒体、すなわち、感光性記録媒体用記録再生装置に関する。
【背景技術】
【０００２】
データをホログラムによって記録するホログラム記録媒体が発明されている。
ホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われ、そのカートリッジは、カートリッジ本体とシャッタ部材とシャッタカバーとを備えて構成されたものが知られている（特許文献１参照）。
【特許文献１】特開２００３−３１７４２２号公報
【発明の開示】
【発明が解決しようとする課題】
【０００３】
このカートリッジを記録再生装置に挿入してから記録再生装置が記録を開始するまでの従来装置の流れを図７を用いて説明する。なお、カートリッジ、記録再生装置、シャッタ開放機構等の構造については、後述する。
カートリッジの先端を記録再生装置の挿入口の蓋に押し当てて、軽く押すと（ステップＳ２１）、蓋が開き（このとき、外部光が装置内に侵入するので、カートリッジのシャッターは閉じたまま。）、カートリッジを記録再生装置の内部に引き入れる（Ｓ２２）。本発明が対象とする媒体は感光性であるため、シャッタはまだ開かない。カートリッジが記録再生装置の内部に完全に引き入れられると（Ｓ２３）、挿入口の蓋が閉まり（Ｓ２４）、装置内部は暗室となる。カートリッジが記録再生装置の内の所定の位置（記録・再生位置）に到着すると（Ｓ２５）、カートリッジのシャッタがシャッタ開放機構により開放される（Ｓ２６）。
【０００４】
シャッタが開放されたら、カートリッジが装置内で水平状態を保ったまま降下し（Ｓ２７）、カートリッジの開口からカートリッジ内にアクセスしてきた装置下部にあるスピンドルモータのチャックが感光性記録媒体の中央部をチャッキングする（Ｓ２８）。この場合、逆でもよい。すなわち、カートリッジはそのまま装置内で固定され、装置下部にあるスピンドルモータのチャックが上昇してカートリッジ２の開口から記録ディスクに接近し、その中央部をチャッキングする（Ｓ２８）。これにより、記録ディスクはスピンドルモータにより回転可能となる。
そこで、スピンドルモータが回転し、記録ディスクを回転させる（Ｓ２９）、ピックアップがディスク情報を読む位置に移動する（Ｓ３０）。移動完了したら、レーザビームのフォーカスを行ない（Ｓ３１）、トラッキングを行う（Ｓ３２）。
そして、回転待ちして、ディスク情報を読み始め（Ｓ３３）、そして、ディスク情報を得たら（Ｓ３４）、その読み出したディスク情報を基に記録する位置にピックアップを移動させ（Ｓ３５）、記録が開始される（Ｓ３７）。
【０００５】
ところで、Ｓ３３の読み出し開始からＳ３４の読み出し終了までは、ホログラム記録媒体はライトワンス記録媒体（ライトワンス ：Write Once Read Many times）であるので、かなりの時間を必要とした。すなわち、常に同じ位置にディスク情報を記録している他の記録媒体では所定情報を読み出すのに時間はかからないが、これと異なるライトワンス記録媒体の場合は、ディスク情報（書き込みが行われた最終の位置を示すアドレス番号）が記録が追記される毎に逐次その記録エリアに追記されていく方式であるので、書き込みが行われた最終の位置を示すアドレス番号を知るには、最初の書き込み位置からスタートしてその記録エリアを逐次追って最終の書き込み位置まで進み、その次に記録がないことを知って初めて現時点でのアドレス番号が判るからである。したがってディスク情報を得るまでに時間がかかった。
【０００６】
本発明は、この点の欠点を解決するためになされたもので、このような最終の書き込み位置情報を得るまでの時間を短縮して、書き込みモードに早く移ることのできるホログラム記録媒体用記録再生装置を提供することを目的としている。
【課題を解決するための手段】
【０００７】
本発明は、ディスク状の感光性記録媒体と、前記感光性記録媒体を回転自在に収容すると共に前記前記感光性記録媒体の中心と記録面とを外部に露呈させる開口を有するカートリッジ本体と、前記カートリッジ本体の外側に組み付けられて前記開口を閉じる閉じ位置と前記開口を開放する開き位置との間で移動自在に配設されたシャッタと、前記感光性記録媒体に関するディスク情報を記録できるＲＦＩＤ（Radio Frequency Identification）と、を備えた感光性記録媒体用カートリッジを内部に収納して前記感光性記録媒体の記録再生を行う記録再生装置において、
前記ＲＦＩＤに前記感光性記録媒体に関するディスク情報の記録と前記ディスク情報の読み出しを行うＲＦＩＤ記録再生装置を備え、
前記ＲＦＩＤ記録再生装置は、前記感光性記録媒体に記録した後、光を記録部分に当てて定着させる回数を前記ＲＦＩＤに記録し、
該回数がある程度を越すと前記感光性記録媒体に記録しないようにする感光性記録媒体用記録再生装置である。
【発明の効果】
【０００８】
以上のように構成することにより、ＲＦＩＤにディスク情報を記録させたので、その情報を読み出すことで、直ぐに最終の書き込み位置情報を得ることができ、従来のアクセス時間を短縮して、書き込みモードに早く移ることのできるホログラム記録媒体用記録再生装置が得られる。
【０００９】
図２は、本発明に係る感光性記録媒体を内蔵したカートリッジの構成を示す分解斜視図である。
【００１０】
〈カートリッジの説明〉
図において、カートリッジ本体は、略板状の第１シェル２５と、この第１シェル２５に接合される第２シェル２６と、第１シェル２５と第２シェル２６との間に組み込まれてシャッタ１３のロックを行なうロック機構２７とから構成されている。
第１シェル２５および第２シェル２６の内側には、記録ディスク４の中心部４ａと記録面４ｂとを外部に露呈させる内部開口１８と内部開口１９がそれぞれ設けられている。第１シェル２５と第２シェル２６の間にディスクを４を置いて互いに重ね合わせて超音波シールすることで、ラビリンス状の遮光構造のディスクカートリッジ本体が得られる。
第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００１１】
〈遮光板の説明〉
図２に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００１２】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００１３】
遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。遮光板１２がカートリッジ本体１１の外側に取り付けられると、第１シェル２５及び第２シェル２６のピン５０が穴４９に挿入され、遮光板１２の表面から突出される。
【００１４】
〈シャッタの説明〉
シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００１５】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。
【００１６】
シャッタ１３は、シャッタバネにより閉じ方向に付勢されている。シャッタバネは、例えば、捩じりコイルバネからなり、その両端は、スライド部材５６と、第１シェル２５の内面とに係止されている。
【００１７】
〈スライドの説明〉
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。
【００１８】
スライド部材５６の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている。スライド部材５６には、被操作部５６ｄに隣接して矩形孔形状の被ロック溝５６ｅが形成されている。
【００１９】
〈本発明によりＲＦＩＤを内蔵〉
本発明によりカートリッジ本体の内部にＲＦＩＤ（Radio Frequency Identification）を備え付けている。符号８１がＲＦＩＤで、このＲＦＩＤ８１には、第２シェル２６の内側の面に突出された支持リブ８２に取り付けられている。
このＲＦＩＤに、諸データを記憶させ、電波でＲＦＩＤ記録再生装置（後述）と交信することで、アンテナ側からの非接触電力伝送技術により、電池を持たない半永久的に利用可能となり、記録再生装置の内部の遮光された暗室内でも読み取り及び書き込みが可能である。
【００２０】
〈ＲＦＩＤの構成〉
図３はＲＦＩＤの内部構造とその通信相手である記録再生装置の内部構造を説明するための概念斜視図（ａ）とブロック図（ｂ）を示している。
図に示すように、ＲＦＩＤ８１はＲＦ（無線周波数）回路２０１と変調回路２０２と復調回路２０３と電源回路２０４とＣＰＵ２０５とこれに接続された光ディスク４の固有情報を記憶するメモリ２０６を有する。
電源回路２０４は図示しないコンデンサを内蔵しており、このコンデンサはコイル２１０とともに共振回路を形成する。コンデンサにはコイル２１０が特定の共振周波数の電波を受信したときにその電磁誘導で生じる電力が充電される。
電源回路２０４はこの電力を整流し安定化してＣＰＵ２０５に供給し、ＲＦＩＤ８１を活性化する。メモリ２０６はＲＯＭ、ＲＡＭ、及びＥＥＰＲＯＭを含み、ＣＰＵ２０５の制御の下で電波のデータ通信による読出しコマンドに応じて記憶されたデータの読出しを行うとともに、記録再生装置からの書込みコマンドに応じてデータの書込みが行われる。
【００２１】
〈ＲＦＩＤ記録再生装置の構成〉
ＲＦＩＤ８１からデータの読出しを行うＲＦＩＤ記録再生装置１００にはアンテナ１１０が接続され、その内部には、バッテリを内蔵する電源回路１０４とＲＦ（無線周波数）回路１０１と変調回路１０２と復調回路１０３と、ＣＰＵ１０５と、メモリ１０６と、ディスプレー１０７と、入力装置１０８とを備えている。
【００２２】
このＲＦＩＤ記録再生装置１００は、アンテナ１１０を介して光ディスク４のコイル２１０に特定周波数の電波を送信してＲＦＩＤ８１を活性化し、かつそのＲＦＩＤ８１のメモリ２０６に対してデータの再生を行い、またその再生情報をコイル２１０からアンテナ１１０を介して受信して、光ディスク４を識別して、その光ディスク４の持つ記録情報をメモリ１０６をから読み出し、ディスプレー１０７に表示させる。
ＲＦＩＤ８１のメモリ２０６には、本発明により記録媒体４のディスク情報（書き込みが行われた最終の位置を示すアドレス番号）を記録させているのが特徴である。その他の情報（例えば、その記録データのタイトル、種別、内容、記憶時間等）も記録することができる。
【００２３】
〈感光性記録媒体用記録再生装置の構成〉
図４はこのホログラム記録媒体を内部に収納して記録再生を行う記録再生装置の１例を示す斜視図、図５はその記録再生装置の内部構成を示す概略図である。
図４および図５に示すように、カートリッジ２を装填して使用される記録再生装置１０は、カートリッジ２を挿入可能な挿入口９１が形成され、外部から遮光された内部空間９２を有する筐体９０を備える。挿入口９１は、ピン９３を中心として回動自在に筐体９０の内部に配設された挿入口シャッタ９４により開閉される。挿入口シャッタ９４は、捩じりコイルばね９６の一端が係止されて挿入口シャッタ９４を閉じる方向に付勢している。挿入口９１には、その開口全周に亘って遮光部材９５が固着されており、挿入口シャッタ９４が閉じられたとき挿入口シャッタ９４と協働して挿入口９１を外部から遮光する。
【００２４】
筐体９０内には、ロック解除機構７８およびシャッタ開放機構８０が組み込まれている。
【００２５】
〈ロック解除機構の説明〉
ロック解除機構７８は、第２のロック部材６４に係合して作動させる第２の解除部材である１対の位置決め部材７７ａ,７７ｂと、第１のロック部材６３に係合して作動させる第１の解除部材である一対の係合ピン７９ａ、７９ｂとからなる。
１対の位置決め部材７７ａ,７７ｂは、挿入口９１から矢印Ｃ方向に挿入されたカートリッジ２の両側面の位置決め溝７,８に係合するように挿入口９１に向かって突出して筐体９０に固定されている。１対の位置決め部材７７ａ,７７ｂは、それぞれ位置決め溝７,８に係合してカートリッジ２の挿入方向、及びこの挿入方向に直交する方向でカートリッジ２を位置決めする。
【００２６】
一対の係合ピン７９ａ、７９ｂは、筐体９０に固定された一対のアーム７９Ａ，７９Ｂから下方に向かって突出して配設されており、挿入されるカートリッジ２の開口７２、７３から第１のロック部材６３の操作穴６３ｄに挿入される。記録ディスク４は両面への記録が可能であるため、カートリッジ２は、Ａ面２ａまたはＢ面２ｂのいずれもが上方に向けられて記録再生装置１０にセットされるが、装填面が異なると、ロック機構２７の位置が左右で反転する。そのため、カートリッジ２が反転して装填された場合でも操作穴６３ｄに係合できるように、反転装填時用の係合ピン７９ｂを備えている。
【００２７】
なお、一対の係合ピン７９ａ、７９ｂは、アーム７９から出没自在に配設され、図示しないバネによって下方に向けて付勢されている。これにより、一方の係合ピンが操作穴６３ｄに係合している際に、他方の係合ピンはカートリッジ２に当接した時にアーム７９内に引っ込み、邪魔になることはない。
【００２８】
〈シャッタ開放機構の説明〉
シャッタ開放機構８０は、スライド部材５６の被操作部５６ｄの外側に当接する一対の操作片８１ａ，８１ｂと、両端側に右ねじ８２ａおよび左ねじ８２ｂがそれぞれ形成されたリードねじ８２を備える。リードねじ８２の右ねじ８２ａには操作片８１ａが螺合し、左ねじ８２ｂには操作片８１ｂが螺合している。リードねじ８２の一端には、駆動モータ８３の回転軸が固定されてリードねじ８２を時計方向または反時計方向に回転させるようになっている。
【００２９】
リードねじ８２が反時計方向に回転すると、操作片８１ａ，８１ｂは互いに接近する方向に移動して被操作部５６ｄを押圧し、シャッタ１３を開き位置にスライドさせる。操作片８１ａ，８１ｂを一対設けたのは、カートリッジ２の反転挿入に対応するためである。
【００３０】
〈記録再生装置１０の動作〉
カートリッジ２が挿入口９１から記録再生装置（ホログラム記録装置）１０に装填されると、記録再生装置１０に固定された位置決め部材７７ａ（図４）が位置決め溝７（図４）に挿入され、カートリッジ２を位置決めすると共に、第２のロック部材６４の被押圧片６４ｄをロックバネ６５の付勢に抗して押庄する。第２のロック部材６４は、リンク部６４ｂを中心に時計方向に回動して、回動部６４ｃの底面が規制片７０から離れるため、第１のロック部材６３の下方へのスライドが可能となる。
【００３１】
カートリッジ２が更に矢印Ｃ方向に挿入されて第１のロック部材６３の操作穴が装置内に固定されたロック解除機構７８の係合ピン７９ａの位置に達すると、アーム７９内に組み込まれたバネの作用により係合ピン７９ａが第１のロック部材６３の操作穴６３ｄに挿入される。そして引き続くカートリッジ２の挿入により、第１のロック部材６３が移動されてロック爪６３ａを被ロック溝５６ｅから抜き去り、係合を解除する。これにより、カートリッジ２のロック機構２７が解除されてシャッタ１３が開閉可能となる。
【００３２】
〈装置内に光が漏入しているとシャッタを開かないシステム〉
筐体９０（図５）の内部には、筐体９０内の明るさを検出する照度センサ９８と、挿入口９１から挿入されるカートリッジ２の先端を検出してカートリッジ２が所定の位置まで正常に挿入されたことを検出するカートリッジセンサ９９とが配設されている。
【００３３】
図６のフローチャートが示すように、カートリッジ２が所定の位置に達すると、カートリッジセンサ９９がカートリッジ２の先端を検出してＯＮとなり、カートリッジ２が所定の位置まで正常に挿入されたことを検出する（Ｓ１）。このとき、カートリッジ２のロック機構２７が既に解除されてシャッタ１３が開閉可能となっている。しかし、シャッタ開放機構８０の操作片８１ａは、スライド部材５６の被操作部５６ｄの外側に配置されていて、まだ動作開始しない。
【００３４】
次いで、照度センサ９８が筐体９０内の明るさを検出し、所定の照度以下であると筐体９０が遮光されていると判断し（Ｓ２）、駆動モータ８３を回転させてリードねじ８２を反時計方向に回転させる（Ｓ３）。これにより、リードねじ８２の右ねじ８２ａおよび左ねじ８２ｂに螺合する操作片８１ａ，８１ｂは互いに接近する方向に移動して被操作部５６ｄを押圧し、シャッタ１３を移動させて開く。そして、記録ディスク４を回転させながら図示しないヘッドによりデータを記録し、または記録されたデータを再生する。
一方、照度センサ９８で検出した照度が所定の照度以上であると（Ｓ２）、記録ディスク４を感光させるおそれがあるので、シャッタ１３を開くことなく表示装置（図示せず）に警告を表示したり、カートリッジ２を記録再生装置１０から排出するなどして使用者の注意を喚起する（Ｓ４）。
【００３５】
このように、ロック機構２７は、第２のロック部材６４を回動させ、更に第１のロック部材６３をスライドさせなければ解除されないため、シャッタ１３が不用意に開放されるのを効果的に防止することができる。
また、ロック機構２７は、カートリッジ２を記録再生装置１０に挿入することにより自動的にロック解除され、更に記録再生装置１０が遮光された後にシャッタ１３が開くので記録ディスク４の感光を確実に防止することができる。
以上、カートリッジ２を記録再生装置１０に挿入してからロック解除して、記録再生装置１０の遮光後にシャッタ１３を開くまでの動作メカニズムを説明した。
【００３６】
〈本発明により設けられたＲＦＩＤの用い方〉
そこで、本発明に係るカートリッジを記録再生装置に挿入してから記録再生装置が記録を開始するまでの流れを図１を用いて説明する。
カートリッジの先端を記録再生装置の挿入口の蓋に押し当てて、軽く押すと（ステップＳ１１）、蓋が開き（このとき、外部光が侵入）、カートリッジを記録再生装置の内部に引き入れる（Ｓ１２）。本発明が対象とする媒体は感光性であるため、シャッタはまだ開かない。カートリッジが記録再生装置の内部に完全に引き入れられると（Ｓ１３）、挿入口の蓋が閉まり（Ｓ１４）、装置内部は暗室となる。カートリッジが記録再生装置の内の所定の位置（記録・再生位置）に到着すると（Ｓ１５）、カートリッジ２のＲＦＩＤ８１の内容（ディスク情報もその１つ）がＲＦＩＤ記録再生装置１００により読み取られ、読み取ったディスク情報に基づき、ピックアップが移動すべき位置を把握する（Ｓ１５１）。
【００３７】
後は、記録するまでの前準備で、まず、カートリッジのシャッタがシャッタ開放機構により開放される（Ｓ１６）。シャッタが開放されたら、カートリッジが装置内で水平状態を保ったまま降下し（Ｓ１７）、カートリッジの開口からカートリッジ内にアクセスしてきた装置下部にあるスピンドルモータのチャックが感光性記録媒体の中央部をチャッキングする（この場合、上述のように逆でもよい。）（Ｓ１８）。これにより、記録ディスクはスピンドルモータにより回転可能となる。そこで、スピンドルモータが回転し（Ｓ１９）、記録ディスクを回転させ、ＲＦＩＤ８１から読み取ったディスク情報に基づきピックアップが書き込み位置に移動して（Ｓ２０）、書き込みを開始する（Ｓ２０１）。
【００３８】
以上のように、ライトワンス記録媒体の場合であっても、本発明のホログラム記録媒体用記録再生装置によれば、ステップ１５１（矢印）でＲＦＩＤにより直ぐに最終の書き込み位置の情報が得られるので、従来装置の図７のフローのステップＳ３０〜Ｓ３４の最終の書き込み位置を探す工程を省略できることとなり、書き込みモードに早く移ることができるようになる。
【００３９】
なお、このＲＦＩＤに書き込む情報に関して、上記の情報を含めて次のような情報を書き込んでおくと、さらに、便利である。
（１）ＲＦＩＤにアドレス情報を書き込んでおく。
このアドレス情報を基に、次回記録する場所を探すことが出来るので、迅速に探すことができるようになる。すなわち、ホログラム記録媒体はライトワンス記録媒体であるので、ホログラム記録媒体の中にディスク情報（次回記録する記録場所のアドレス情報）を書き込む従来の方式では、更新されたディスク情報を記録更新毎に同じ位置に記録することができず、前回のディスク情報を記録していた場所の隣の場所に更新のディスク情報を追記していくので、次回記録する場所のアドレス番号を知るには、ディスク情報の最初の書き込み場所からスタートしてその記録エリアを逐次追って最終の書き込み場所まで進み、その次に記録がないことを知って初めて現時点で記録されている場所のアドレス番号が判る（したがって、次回記録すべき場所がこれから判る）から、最新のディスク情報を得るまでには相当長い時間がかかった。そこで、ＲＦＩＤには常に同じ場所に最新のディスク情報を書き込むことができるので、上記欠点が解決できる。
【００４０】
（２）ＲＦＩＤの記録内容を記録媒体にも記録させておく。
ＲＦＩＤは使い易い反面、破損の恐れも考えられるので、ＲＦＩＤに記録した内容を逆に記録媒体にも記録させておき、できれば改竄されないように、定着させて、バックアップとして永久保存するのが好ましい。
【００４１】
（３）ＲＦＩＤの上記（１）のアドレス情報と記録媒体の記録が不一致とならないようにさせておく。ＲＦＩＤにアドレス情報を書き込むタイミングと記録媒体のそのアドレスに記録がなされるタイミングとは常に一致しているわけではなく（もちろん一致させるのが望ましいが、現実には困難）、いずれかが先に行われ、次いでもう一方が行われることになる。その場合、先に行われた時点と次いでもう一方が記録完了する時点との間に停電等の不慮の事故が発生して記録プロセスが停止してしまった場合、ＲＦＩＤのアドレス情報と記録媒体の記録が不一致となってしまう。これを回避するために、ＲＦＩＤには、記録媒体に記録開始するアドレスを書き込む開始アドレス格納場所と記録完了したアドレスを書き込む完了アドレス格納場所とを設けておき、両方の格納場所のアドレスが一致したときにＲＦＩＤの上記（１）のアドレス情報と記録媒体の記録が一致していると判る。両方が一致しない場合は、事故発生とし、再度両方の書き込みを行わせる。
【００４２】
（４）ＲＦＩＤのタグのＩＤ番号とカートリッジ（記録媒体でも可）のＩＤ番号をＲＦＩＤに記録しておき、それらをリンクさせてセキュリティを調べることで、記録媒体の記録内容の改竄を防止することができる。
【００４３】
（５）さらに、ハードウエア（記録再生装置）のＩＤ番号をＲＦＩＤに記録しておき、上記（４）に加えて、ハードウエアのＩＤ番号とのすべてが一致したとき、記録ができるようにしておく。
【００４４】
（６）エラーレートの情報をＲＦＩＤに記録しておく。
記録時にエラーが発生したときの情報をＲＦＩＤに記録しておくようにすると、例えば、記録媒体のどの部分の記録時にエラー発生が多いかを後で追跡調査することができ、その原因を解明するのに役立つ。
【００４５】
（７）ローディング（追記）の回数をＲＦＩＤに記録しておく。
ライトワンス記録媒体は何回も追記できるものではないので、何回ローディングしたかを記録しておくと、以後のローディングの参考にすることができる。
【００４６】
（８）定着回数をＲＦＩＤに記録しておく。
ホログラム記録媒体は記録したあと、１回光を記録部分に当てて定着させているが、この定着は記録部分のみに光が当たる（ようにしているが、実際はそのようになる）わけではなく、ランプ光が漏れて記録媒体の全面に広がることとなり、したがって定着回数がある程度を超すと、記録しないようにしている。そのためにこの定着回数を知ることは有効である。
【００４７】
（９）記録媒体の仕様をＲＦＩＤに記録しておく。
記録媒体の仕様である、厚さ、記録速度、直径、送りピッチ等をＲＦＩＤに記録しておくと、これにより所望の数値がＲＦＩＤから瞬時に得られるので便利である。
【００４８】
（１０）ＲＦＩＤ一般の情報等をＲＦＩＤに記録しておく。
ＲＦＩＤのＩＳＯ標準化規格や、各メーカー独自の特徴的な機能などをＲＦＩＤに記録しておくと、これにより所望情報がＲＦＩＤから得られるので便利である。
【図面の簡単な説明】
【００４９】
【図１】本発明に係るカートリッジを記録再生装置に挿入してから記録再生装置が記録を開始するまでの流れを説明するフローチャートである。
【図２】本発明に係る感光性記録媒体を内蔵したカートリッジの構成を示す分解斜視図である。
【図３】ＲＦＩＤの内部構造とその通信相手である記録再生装置の内部構造を説明するための概念斜視図（ａ）とブロック図（ｂ）を示している。
【図４】ホログラム記録媒体を内部に収納して記録再生を行う記録再生装置の１例を示す斜視図、
【図５】記録再生装置の内部構成を示す概略図である。
【図６】装置内に漏入光があるときシャッタを開かないシステムのフローチャートである。
【図７】カートリッジを記録再生装置に挿入してから記録再生装置が記録を開始するまでの従来装置の流れを説明するフローチャートである。
【符号の説明】
【００５０】
２  感光性記録媒体用カートリッジ
４  感光性記録媒体（特に、ホログラム記録媒体）
１０  記録再生装置
１１  カートリッジ本体
１３  シャッタ
７８  ロック解除機構
８０  シャッタ開放機構
８１  ＲＦＩＤ
１００  ＲＦＩＤ記録再生装置
１０１  ＲＦ（無線周波数）回路
１０２  変調回路
１０３  復調回路
１０４  電源回路
１０５  ＣＰＵ
１０６  メモリ
１０７  ディスプレー
１０８  入力装置
１１０  アンテナ
２０１  ＲＦ（無線周波数）回路
２０２  変調回路
２０３  復調回路
２０４  電源回路
２０５  ＣＰＵ
２０６  メモリ
２１０  アンテナ
【図１】
0004740703.tif 000002
【図２】
0004740703.tif 000003
【図３】
0004740703.tif 000004
【図４】
0004740703.tif 000005
【図５】
0004740703.tif 000006
【図６】
0004740703.tif 000007
【図７】
0004740703.tif 000008